(57)【要約】【課題】ＡＣ電力投入時には突入電流を抑制し、定常状態では発熱を低減する電源保護装置、および、このような電源保護装置を用いた電源装置、電源装置を用いたプロジェクター、電子機器を提供する。【解決手段】電源保護装置１は、導電性を有して伸縮可能なコイル状部材１００と、コイル状部材１００を電磁力により伸縮させる電磁駆動部１１０と、を備え、電磁駆動部１１０は、コイル状部材１００を伸縮させることによりコイル状部材１００のインダクタンスを変化させる。また、コイル状部材１００は、電磁力が発生した場合にはコイル形状を変形させて伸びることによりインダクタンスを小さくする。【選択図】図１
2015142404.tif 000002
【特許請求の範囲】
【請求項１】
電源保護装置であって、
導電性を有して伸縮可能なコイル状部材と、
前記コイル状部材を電磁力により伸縮させる電磁駆動部と、を備え、
前記電磁駆動部は、前記コイル状部材を伸縮させることにより前記コイル状部材のインダクタンスを変化させることを特徴とする電源保護装置。
【請求項２】
請求項１に記載の電源保護装置であって、
前記コイル状部材は、前記電磁力が発生した場合にはコイル形状を変形させて伸びることによりインダクタンスを小さくすることを特徴とする電源保護装置。
【請求項３】
請求項２に記載の電源保護装置であって、
前記電磁駆動部は、
ベースとなる第１基板と、
前記第１基板に対して移動する第２基板と、
前記第１基板に設置され、電力が供給された場合に電磁力を発生する電磁力発生部と、
を備え、
前記コイル状部材は、前記第２基板に一端部を保持されることを特徴とする電源保護装置。
【請求項４】
請求項３に記載の電源保護装置であって、
前記第２基板に設置されて前記電磁力発生部が前記電磁力を発生した際に引き付けられる磁性部材と、
前記第１基板に対して前記第２基板の距離を離す方向に付勢する付勢部材と、
前記付勢部材による前記第２基板の移動を規制する規制部と、
をさらに備えることを特徴とする電源保護装置。
【請求項５】
請求項４に記載の電源保護装置であって、
前記コイル状部材の伸縮量を規制する第２規制部を備えることを特徴とする電源保護装置。
【請求項６】
請求項１〜請求項５のいずれか一項に記載の電源保護装置と、
整流・平滑回路と、トランスを備えたＤＣ/ＤＣ変換回路とを有し、入力したＡＣ電力を直流電力に変換して出力する電源部と、
を備えることを特徴とする電源装置。
【請求項７】
請求項６に記載の電源装置であって、
前記電磁駆動部を駆動する電力は、前記トランスの一次側または二次側から供給されることを特徴とする電源装置。
【請求項８】
請求項６に記載の電源装置であって、
前記電磁駆動部を駆動する電力は、前記トランスの一次側で、前記整流・平滑回路を制御する制御用ＩＣを駆動する電力を用いることを特徴とする電源装置。
【請求項９】
請求項６〜請求項８のいずれか一項に記載の電源装置と、
光を射出する光源装置と、
前記光源装置から射出された前記光を画像情報に応じて変調する光変調装置と、
前記光変調装置で変調された前記光を投写する投写部と、
を備えることを特徴とするプロジェクター。
【請求項１０】
請求項６〜請求項８のいずれか一項に記載の電源装置を備えることを特徴とする電子機器。
【発明の詳細な説明】
【技術分野】
【０００１】
本発明は、電源保護装置、電源保護装置を用いた電源装置、電源装置を用いたプロジェクターおよび電子機器に関する。
【背景技術】
【０００２】
従来、電源装置には、ＡＣ電力を投入する際の突入電流による素子（電源装置を構成する素子）の誤動作や故障を防ぐ目的で、保護素子（パワーサーミスターやコイル等）が設置されている。このような保護素子は、定常状態では発熱することにより、電力が消費される。
【０００３】
特許文献１では、導電性を有するコイル状の押しバネを電磁石により変形させることにより、特性を変える限流素子、および限流素子を用いた限流器の構成が開示されている。詳細には、限流素子は、定常状態では、コイル状のバネが縮んでコイルターン間が接触状態となることにより低抵抗とし、ＡＣ電力投入時には、電磁力によりコイル状のバネが伸びてコイルターン間が未接触状態となることにより高抵抗としている。
【先行技術文献】
【特許文献】
【０００４】
【特許文献１】特開２００７−２８８８２４号公報
【発明の概要】
【発明が解決しようとする課題】
【０００５】
しかしながら、依然として、突入電流に対する効果的な対策が必要であることが課題となっていた。
従って、ＡＣ電力投入時には突入電流を抑制し、定常状態では発熱を低減する電源保護装置、および、この電源保護装置を用いた電源装置、電源装置を用いたプロジェクター、電子機器が要望されていた。
【課題を解決するための手段】
【０００６】
本発明は、上述の課題の少なくとも一部を解決するためになされたものであり、以下の形態または適用例として実現することが可能である。
【０００７】
［適用例１］本適用例に係る電源保護装置は、導電性を有して伸縮可能なコイル状部材と、コイル状部材を電磁力により伸縮させる電磁駆動部と、を備え、電磁駆動部は、コイル状部材を伸縮させることによりコイル状部材のインダクタンスを変化させることを特徴とする。
【０００８】
このような電源保護装置によれば、コイル状部材のインダクタンスの変化を利用することにより、ＡＣ電力投入時には突入電流を抑制し、定常状態ではコイル状部材の発熱を低減する電源保護装置を実現することができる。
【０００９】
［適用例２］上記適用例に係る電源保護装置において、コイル状部材は、電磁力が発生した場合にはコイル形状を変形させて伸びることによりインダクタンスを小さくすることが好ましい。
【００１０】
このような電源保護装置によれば、コイル状部材は、電磁力が発生した場合に、コイル形状を変形させて伸びることにより、伸びる前に比べてインダクタンスを小さくすることができる。従って、定常状態では、コイル形状を伸ばすことで、インダクタンスが小さくなり、コイル状部材の発熱を低減することができる。
また、例えば、電磁力が発生しない場合に、コイル形状を伸ばさないことにより、伸ばした場合に比べてインダクタンスを大きくすることができる。従って、ＡＣ電力投入時では、電磁力を発生させずに、コイル形状を変形させない（コイル形状を維持する）ことにより、突入電流を抑制することができる。
【００１１】
［適用例３］上記適用例に係る電源保護装置において、電磁駆動部は、ベースとなる第１基板と、第１基板に対して移動する第２基板と、第１基板に設置され、電力が供給された場合に電磁力を発生する電磁力発生部と、を備え、コイル状部材は、第２基板に一端部を保持されることが好ましい。
【００１２】
このような電源保護装置によれば、電磁力発生部で電磁力を発生させた場合、コイル状部材の一端部を保持する第２基板を、第１基板に対して移動させる。これにより、コイル状部材を伸縮させる構造を容易に構成することができる。
【００１３】
［適用例４］上記適用例に係る電源保護装置において、第２基板に設置されて電磁力発生部が電磁力を発生した際に引き付けられる磁性部材と、第１基板に対して第２基板の距離を離す方向に付勢する付勢部材と、付勢部材による第２基板の移動を規制する規制部と、をさらに備えることが好ましい。
【００１４】
このような電源保護装置によれば、電磁力発生部が電磁力を発生しない場合、コイル状部材の一端部を保持する第２基板は、付勢部材の付勢力により、規制部で規制される位置まで移動し、第１基板との距離を離す。この構成による動作を、ＡＣ電力投入時に利用することにより、コイル形状を伸ばさないことで、コイル状部材のインダクタンスを大きくすることができ、ＡＣ電力投入時の突入電流を抑制することができる。また、電磁力発生部が電磁力を発生した場合、コイル状部材の一端部を保持する第２基板は、磁性部材が電磁力発生部に引き付けられることにより、付勢部材の付勢力に抗して、規制部で規制される位置から移動し、第１基板との距離を縮めることができる。この構成による動作を、定常状態に利用することにより、コイル形状を伸ばすことで、コイル状部材のインダクタンスを小さくすることができ、定常状態でのコイル状部材の発熱を低減することができる。
また、このような構成とすることにより、電源保護装置を容易な構成で実現することができる。
【００１５】
［適用例５］上記適用例に係る電源保護装置において、コイル状部材の伸縮量を規制する第２規制部を備えることが好ましい。
【００１６】
このような電源保護装置によれば、第２規制部を、例えば、電磁力が発生した場合のコイル状部材の伸縮量（伸び量）を規制することに使用した場合、コイル状部材の伸び量を弾性変形の許容範囲内とするための安全率を向上させることができる。
【００１７】
［適用例６］本適用例に係る電源装置は、（ａ）上述したいずれかの電源保護装置と、（ｂ）整流・平滑回路と、トランスを備えたＤＣ/ＤＣ変換回路とを有し、入力したＡＣ電力を直流電力に変換して出力する電源部と、を備えることを特徴とする。
【００１８】
このような電源装置によれば、上述した電源保護装置を用いているため、突入電流が抑制されることで、電源装置を構成する構成素子の過剰な発熱を抑制し、電源装置の誤動作や故障の原因となることを防止することができる。また、定常状態では、電源保護装置（コイル状部材）はインダクタンスを下げることにより、コイル状部材の発熱を低減することができるため、コイル状部材での電力消費を抑えることができ、ＡＣ電力を効率的に直流電力に変換することができる。
【００１９】
［適用例７］上記適用例に係る電源装置において、電磁駆動部を駆動する電力は、トランスの一次側または二次側から供給されることが好ましい。
【００２０】
このような電源装置によれば、トランスの一次側または二次側からの電力の供給で電磁駆動部を駆動することができるため、複雑な回路構成は不要であり、電源保護装置を備える電源装置の回路構成を容易とすることができる。
【００２１】
［適用例８］上記適用例に係る電源装置において、電磁駆動部を駆動する電力は、トランスの一次側で、整流・平滑回路を制御する制御用ＩＣを駆動する電力を用いることが好ましい。
【００２２】
このような電源装置によれば、電磁駆動部を駆動する電力を、制御用ＩＣを駆動する電力と併用することができるため、電源保護装置を備える電源装置の回路構成を、更に容易とすることができる。
【００２３】
［適用例９］本適用例に係るプロジェクターは、（ａ）上述したいずれかの電源装置と、（ｂ）光を射出する光源装置と、（ｃ）光源装置から射出された光を画像情報に応じて変調する光変調装置と、（ｄ）光変調装置で変調された光を投写する投写部と、を備えることを特徴とする。
【００２４】
このようなプロジェクターによれば、ＡＣ電力投入時には突入電流を抑制し、定常状態では発熱を低減する電源装置を備えることにより、安定した電力供給がなされるため、プロジェクターの仕様により規定される品質を長期間維持することができる。
【００２５】
［適用例１０］本適用例に係る電子機器は、上述したいずれかの電源装置を備えることを特徴とする。
【００２６】
このような電子機器によれば、ＡＣ電力投入時には突入電流を抑制し、定常状態では発熱を低減する電源装置を備えることにより、安定した電力供給がなされるため、電子機器の仕様により規定される品質を長期間維持することができる。
【図面の簡単な説明】
【００２７】
【図１】第１実施形態に係る電源装置を示す概構成図。
【図２】電源装置にＡＣ電力が投入された瞬間（ＡＣ電力投入時）の状態を示す図。
【図３】電源装置にＡＣ電力が投入された瞬間以降の状態を示す図。
【図４】保護装置への電力供給後の状態を示す図。
【図５】電源装置をプロジェクターに用いた場合のプロジェクターの回路構成を示すブロック図。
【図６】第２実施形態に係る保護装置を示す図。
【発明を実施するための形態】
【００２８】
以下、実施形態を図面に基づいて説明する。
なお、実施形態を説明する図面は、要部の構造を理解できる大きさに適宜拡大して図示するため、実際の寸法（縮尺）とは異なる。
〔第１実施形態〕
【００２９】
図１は、本実施形態に係る電源装置１０を示す概構成図である。
電源装置１０は、電源保護装置１と電源部２とを備えて構成されている。
図１を参照して、電源部２の構成と動作、電源保護装置１の構成と動作を説明する。
【００３０】
〔電源部２の構成と動作〕
電源部２は、本実施形態では、商用電源からインレット３に供給されるＡＣ電力を、整流および平滑化して必要な各種の電圧値となる直流電力に変換し出力する部分である。なお、商用電源とインレット３とは、電源ケーブル４を介して接続される。
【００３１】
電源部２は、供給されたＡＣ電力や、インレット３以降に接続される回路で発生する低周波ノイズおよび高周波ノイズをカットするＥＭＣ（Electro-Magnetic Compatibility）用フィルター（図示省略）を備えている。
【００３２】
また、電源部２は、後述する電源保護装置１、およびＥＭＣ用フィルターの後段で、ＡＣ電力を整流および平滑化して直流電力に変換する整流・平滑回路２１と、整流・平滑回路２１により昇圧された直流電力を各種の直流電力に変換して出力するＤＣ/ＤＣ変換回路２２と、を備えている。整流・平滑回路２１は、整流器２１０、コンデンサーＣ１等の後段に、ＰＦＣ（Power Factor Correction）回路２１１を備えることで高調波電流を抑え、コンデンサーＣ２により直流の昇圧電圧を生成している。
【００３３】
ＤＣ/ＤＣ変換回路２２は、トランスＬ１（一次側コイルＬ１１）、トランジスターＴ１等を備えている。また、ＤＣ/ＤＣ変換回路２２は、各種の直流の出力電圧を生成する回路を備えている。例えば、出力電圧Vout１を生成するために、トランスＬ１（二次側コイルＬ１２）、ダイオードＤ１、コンデンサーＣ３等を備えている。
【００３４】
また、本実施形態では、電源部２に、トランスＬ１の一次側コイルＬ１１とは別に、サブ電源用の一次側コイルＬ１１ａを備えており、整流・平滑回路２１を制御する制御用ＩＣ３０を駆動する電力（サブ電源）を生成している。また、本実施形態では、一次側コイルＬ１１ａにより、サブ電源として約１５Ｖの直流電圧を生成している。また、本実施形態では、この制御用ＩＣ３０を駆動する電力（サブ電源）を、後述する電源保護装置１を駆動する電力として供給している。
【００３５】
〔電源保護装置１の構成と動作〕
電源保護装置１は、ＡＣ電力が投入された際の突入電流を抑制する装置である。電源保護装置１は、導電性を有して伸縮可能なコイル状部材１００と、コイル状部材１００を電磁力により伸縮させる電磁駆動部１１０と、を備えている。
【００３６】
コイル状部材１００は、コイル部１０１と、コイル部１０１の両端部で、他の回路と接続する端子部１０２（１０２ａ，１０２ｂ）と、で構成されている。なお、コイル部１０１は導線が被覆されており、端子部１０２は導線が露出した状態となる。
【００３７】
電磁駆動部１１０は、例えば、電子機器（本実施形態では、後述するプロジェクター５）の筐体内に固定する際、固定するためのベースとなる板状の第１基板１１１を備えている。また、電磁駆動部１１０は、第１基板１１１に対向して設置されて第１基板１１１に対して移動する板状の第２基板１１２と、第１基板１１１に設置されて第２基板１１２の移動を案内する案内部１１３とを備えている。
【００３８】
電磁駆動部１１０は、第１基板１１１と第２基板１１２との間に設置される付勢部材としての圧縮コイルバネ１１６を備えている。圧縮コイルバネ１１６は、第１基板１１１に対して距離を離す方向に第２基板１１２を付勢する。従って、第２基板１１２は、案内部１１３に案内されて圧縮コイルバネ１１６の付勢力により移動する。また、電磁駆動部１１０は、案内部１１３の先端部近傍に固定される規制部１１７を備えている。規制部１１７は、第２基板１１２の移動を規制する。
【００３９】
電磁駆動部１１０は、第１基板１１１に電磁力発生部１１４を備えており、電磁力発生部１１４は、電力が供給された場合に電磁力を発生する。詳細には、電磁力発生部１１４は、磁性を有する円柱状の鉄芯１１４ａと、鉄芯１１４ａの外周に幾重にも巻回される巻き線部材１１４ｂとを備えている。巻き線部材１１４ｂの両端に電力が供給された場合、電磁力発生部１１４は電磁力を発生させて電磁石として動作する。
【００４０】
電磁駆動部１１０は、電磁力発生部１１４に相対して第２基板１１２に設置される磁性部材としての円板状の鉄板１１５を備えている。鉄板１１５は、電磁力発生部１１４が電磁力を発生した際に、電磁力発生部１１４に引き付けられる。
【００４１】
第２基板１１２は、コイル状部材１００の一方の端子部１０２ｂを保持している。なお、端子部１０２ｂは、後述する電源部２側からの導線Ｗ１と電気的に接続されている。また、この導線Ｗ１は、端子部１０２ｂと接続すると共に、固定部４０に固定される。なお、導線Ｗ１は、固定部４０を支点として、コイル状部材１００の伸縮による移動を許容する柔軟性を有した導線で構成されている。
【００４２】
一方、コイル状部材１００の他方の端子部１０２ａは、電源ケーブル４と接続されるインレット３側からの導線Ｗ２と電気的に接続され、固定部５０で固定されている。
【００４３】
〔ＡＣ電力が切断された状態での電源保護装置１の動作〕
以降では、電源装置１０が動作している状態（定常状態）で、ＡＣ電力が切断された（電源ケーブル４が抜かれた）場合を説明する。
【００４４】
図１に示すように、電源装置１０へのＡＣ電力が、切断された場合、電源装置１０に電力が供給されない状態となる。電源装置１０に電力が供給されない場合は、電磁駆動部１１０の巻き線部材１１４ｂに電力が供給されないため、電磁駆動部１１０に電磁力が発生しない。これにより、コイル状部材１００の一端部（端子部１０２ｂ）を保持する第２基板１１２は、圧縮コイルバネ１１６の付勢力により、矢印の方向に案内部１１３を摺動して移動し、第１基板１１１との距離を離す。そして、第２基板１１２は、規制部１１７で規制される位置まで移動して、その位置で保持される。
【００４５】
なお、コイル状部材１００のコイル部１０１は、上述した第２基板１１２の移動に伴って、変形して伸びた状態から、本実施形態では、伸びない状態（自然長の状態）となり、変形せずにコイルの状態を維持する。電源装置１０にＡＣ電力が投入されない状態では、この状態を維持する。
【００４６】
〔ＡＣ電力が投入された瞬間の状態の電源保護装置１の動作〕
図２は、電源装置１０にＡＣ電力が投入された瞬間（ＡＣ電力投入時）の状態を示す図である。
【００４７】
図２に示すように、電源装置１０にＡＣ電力が投入された瞬間は、インレット３を介して、突入電流が電源保護装置１のコイル状部材１００に流れる。しかし、コイル状部材１００は、コイル部１０１が変形せずにコイルの状態を維持しているため、大きいインダクタンスを有して突入電流を抑制する。従って、コイル状部材１００の後段に接続される電源部２へは、突入電流による影響が低減され、ＡＣ電力が電源部２に供給される。なお、図２に示す矢印は、電流の流れのイメージを表示している。
【００４８】
〔ＡＣ電力が投入された瞬間以降の電源保護装置１の動作〕
図３は、電源装置１０にＡＣ電力が投入された瞬間以降（コイル状部材１００で突入電流が抑制された直後）の状態を示す図である。
【００４９】
図３に示すように、電源装置１０にＡＣ電力が投入された場合、コイル状部材１００で突入電流が抑制されると同時に、電源部２にはＡＣ電力が供給される。電源部２へのＡＣ電力の供給により、整流・平滑回路２１が動作し、コンデンサーＣ１，Ｃ２への充電などが行われる。そして、サブ電源用の一次側コイルＬ１１ａが駆動することにより、電力（サブ電源）が生成されて、制御用ＩＣ３０に供給される。また、このサブ電源により、電源保護装置１の電磁駆動部１１０に電力が供給される。この場合、コンデンサーＣ１，Ｃ２への充電等によるリレーが発生するため、所定の時間差を持って、電源保護装置１（電磁駆動部１１０）に電力が供給される。なお、図３に示す矢印は、電流の流れのイメージを表示している。
【００５０】
〔電磁駆動部１１０への電力供給後の電源保護装置１の動作〕
図４は、電源保護装置１（電磁駆動部１１０）への電力供給後の状態を示す図である。
【００５１】
図４に示すように、電源保護装置１（電磁駆動部１１０）の巻き線部材１１４ｂに、サブ電源から電力が供給されて電流が流れた場合、電磁駆動部１１０に電磁力が発生する。これにより、電磁駆動部１１０が電磁石として動作する。
【００５２】
電磁駆動部１１０に電磁力が発生することにより、コイル状部材１００の一端部（端子部１０２ｂ）を保持する第２基板１１２は、鉄板１１５が電磁力発生部１１４に引き付けられることにより、圧縮コイルバネ１１６の付勢力に抗して、規制部１１７で規制される位置から、矢印の方向に案内部１１３を摺動して移動し、図４に示すように、第１基板１１１との距離を縮める。なお、このとき、電磁力発生部１１４の鉄芯１１４ａに鉄板１１５が当接した状態となる。
【００５３】
この状態のとき、図４に示すように、コイル状部材１００のコイル部１０１は、端子部１０２ａが固定部５０に固定されているため、端子部１０２ｂを保持する第２基板１１２の動作に従動し、変形して伸びた状態となる。なお、このとき、導線Ｗ１も固定部４０を支点として移動する。
【００５４】
コイル状部材１００のコイル部１０１が変形して伸びた状態となることにより、コイル状部材１００は、コイルとしての機能が低くなり、併せてインダクタンスを下げる状態となる。そのため、コイル状部材１００の発熱が低減される。そして、電源装置１０は、これ以降の定常状態において、コイル状部材１００を伸ばした状態を維持して動作を行い、各種の直流の出力電圧を生成する。
【００５５】
なお、定常状態で、電源ケーブル４が抜かれた場合（商用電源と電源ケーブル４との接続が解除された場合、または、電源ケーブル４とインレット３との接続が解除された場合）、電源装置１０へのＡＣ電力の供給が切断され、電源保護装置１は、図１で説明した動作を行う。
【００５６】
電源装置１０へのＡＣ電力が切断された場合には、第２基板１１２は、図４に示す位置から、図１に示すように、規制部１１７の位置まで戻る。これにより、コイル状部材１００（コイル部１０１）は、変形して伸びた状態から、もとのコイルの状態に戻る。
なお、電源保護装置１は、ＡＣ電力の投入と切断とにより、上記の動作を繰り返す。
【００５７】
本実施形態の電源保護装置１、および電源保護装置１を用いた電源装置１０によれば、以下の効果が得られる。
【００５８】
本実施形態の電源保護装置１では、導電性を有して伸縮可能なコイル状部材１００と、コイル状部材１００を電磁力により伸縮させる電磁駆動部１１０と、を備え、電磁駆動部１１０は、コイル状部材１００を伸縮させることによりコイル状部材１００のインダクタンスを変化させている。このように、コイル状部材１００のインダクタンスの変化を利用して、ＡＣ電力投入時には突入電流を抑制し、定常状態ではコイル状部材１００の発熱を低減する電源保護装置１を実現することができる。
【００５９】
本実施形態の電源保護装置１において、電磁駆動部１１０は、概略、第１基板１１１と第２基板１１２と電磁力発生部１１４と、を備え、コイル状部材１００は、第２基板１１２に一端部（端子部１０２ｂ）が保持されている。この電源保護装置１によれば、電磁力発生部１１４で電磁力を発生させた場合、コイル状部材１００の端子部１０２ｂを保持する第２基板１１２を、第１基板１１１に対して移動させることができる。これにより、コイル状部材１００を伸縮させる構造を容易に構成することができる。
【００６０】
本実施形態の電源保護装置１において、ＡＣ電力が投入された瞬間（ＡＣ電力投入時）には、電磁駆動部１１０による電磁力が発生しないことにより、コイル状部材１００は、変形せずにコイルの状態を維持することで、インダクタンスを大きくすることができ、突入電流を抑制することができる。また、定常状態では、電磁駆動部１１０による電磁力が発生することにより、コイル状部材１００は、コイル形状を変形させて伸びることで、インダクタンスを小さくすることができ、コイル状部材１００の発熱を低減することができる。
【００６１】
本実施形態の電源保護装置１において、電磁力発生部１１４が電磁力を発生しない場合、コイル状部材１００の端子部１０２ｂを保持する第２基板１１２は、圧縮コイルバネ１１６の付勢力により、規制部１１７で規制される位置まで移動し、第１基板１１１との距離を離すことができる。この構成により、ＡＣ電力投入時には、電磁力発生部１１４が電磁力を発生しないことにより、コイル状部材１００を変形させずにコイルの状態を維持させることができる。
また、電磁力発生部１１４が電磁力を発生した場合、コイル状部材１００の端子部１０２ｂを保持する第２基板１１２は、鉄板１１５が電磁力発生部１１４に引き付けられることにより、圧縮コイルバネ１１６の付勢力に抗して、規制部１１７で規制される位置から移動し、第１基板１１１との距離を縮めることができる。この構成により、定常状態では、電磁力発生部１１４が電磁力を発生することにより、コイル状部材１００を変形させて伸ばすことができる。
以上により、電源保護装置１の構成を、容易な構成で実現することができる。
【００６２】
本実施形態の電源装置１０は、電源保護装置１を用いているため、突入電流が抑制されることで、電源装置１０を構成する構成素子の過剰な発熱を抑制し、電源装置１０の誤動作や故障の原因となることを防止することができる。また、定常状態では、電源保護装置１（コイル状部材１００）はインダクタンスを下げることにより、コイル状部材１００の発熱を低減することができるため、コイル状部材１００での電力消費を抑えることができ、ＡＣ電力を効率的に直流電力に変換することができる。
【００６３】
本実施形態の電源装置１０は、電磁駆動部１１０を駆動する電力を、制御用ＩＣ３０を駆動する電力（サブ電源）と併用することができるため、電源保護装置１用の複雑な回路構成は不要であり、電源保護装置１を備える電源装置１０の回路構成を容易とすることができる。
【００６４】
ここで、特許文献１に戻るが、特許文献１での限流器の構成では、コイルバネ（限流抵抗）の両端部を固定および導通して可動させる２つの板材（電極）が導電性の部材で構成されている。しかし、本実施形態の電源保護装置１では、限流抵抗に対応するコイル状部材１００は導線Ｗ１，Ｗ２に接続することでよい。従って、端子部１０２ｂを保持する第２基板１１２は抵抗成分を考慮する必要が無い。そのため、第２基板１１２、第１基板１１１、案内部１１３、規制部１１７は、導電性を有しない部材、例えば、合成樹脂部材で構成することができる。従って、本実施形態の電源保護装置１は、特許文献１の限流器に比較して、構成が簡易で、構成部材の加工性も優れている。
【００６５】
〔電源装置１０を用いたプロジェクター５の構成と動作〕
図５は、電源装置１０をプロジェクター５に用いた場合のプロジェクター５の回路構成を示すブロック図である。
【００６６】
図５に示すように、プロジェクター５は、画像入力端子５１、画像信号入力部５２、画像信号処理部５３、ＯＳＤ（On-Screen Display）処理部５４、制御部５５、入力操作部５６、光源制御部５７、画像投写部５８、インレット３、電源装置１０等で構成されている。また、これらの回路ブロックは、プロジェクター５の外装筐体（図示省略）の内部または外面に配置されている。
【００６７】
画像投写部５８は、光源装置５８１、３つの透過型の液晶パネル５８２Ｒ，５８２Ｇ，５８２Ｂ、投写レンズ５８３、液晶駆動部５８４等を含んでいる。画像投写部５８は、光源装置５８１から射出された光を、光変調装置としての液晶パネル５８２Ｒ，５８２Ｇ，５８２Ｂで変調し、変調された画像（画像光）を投写部としての投写レンズ５８３から投写することによって、スクリーンＳＣ等の投写面に投写画像として表示する。
【００６８】
光源装置５８１は、超高圧水銀ランプやメタルハライドランプ等の放電型の光源ランプ５８１ａと、リフレクター５８１ｂとを含んで構成されている。そして、液晶駆動部５８４は、入力される画像データに応じた駆動電圧を、各液晶パネルを構成する画素に印加する。これにより、各画素は、画像情報に応じた光透過率に設定される。このため、光源装置５８１から射出された光は、この液晶パネル５８２Ｒ，５８２Ｇ，５８２Ｂを透過することによって変調され、画像情報に応じた画像光が色光毎に形成される。形成された各色の画像光は、色合成光学系（図示省略）によって画素毎に合成されてカラーの画像光となった後、投写レンズ５８３によってスクリーンＳＣ等に拡大投写される。
【００６９】
制御部５５は、図示省略するＣＰＵ（Central Processing Unit）や、各種データ等の一時記憶に用いられるＲＡＭ（Random Access Memory）等を備え、記憶部（図示省略）に記憶されている制御プログラム（図示省略）に従って動作することにより、プロジェクター５の動作を統括制御する。
【００７０】
入力操作部５６は、ユーザーがプロジェクター５に対して各種指示を行うための複数の操作キーで構成される操作パネル（図示省略）を備えている。ユーザーが入力操作部５６の各種操作キーを操作すると、入力操作部５６は、ユーザーの操作内容に応じた操作信号を制御部５５に出力する。
【００７１】
画像信号入力部５２は、制御部５５の指示に基づき、ビデオ再生装置やＰＣ（パーソナルコンピューター）等の外部の画像出力装置から、ケーブル及びケーブルを接続する複数の画像入力端子５１を介して画像情報を入力し、画像信号処理部５３に出力する。
【００７２】
画像信号処理部５３は、画像信号入力部５２から入力される画像情報を、液晶パネル５８２Ｒ，５８２Ｇ，５８２Ｂの各画素の階調を表す画像情報に変換する。
ＯＳＤ処理部５４は、制御部５５の指示に基づいて、投写画像上に、メニュー画像やメッセージ画像等のＯＳＤ画像を重畳して表示するための処理を行う。
【００７３】
光源制御部５７は、バラスト５７１を含んで構成されている。光源制御部５７は、制御部５５の指示に基づいて、光源装置５８１への駆動電力の供給と停止を制御し、光源装置５８１の点灯と消灯を切り替える。
【００７４】
バラスト５７１は、詳細には、直流昇圧電圧から光源装置５８１を始動するためのパルス電圧と、光源装置５８１（本実施形態では交流点灯型の超高圧水銀ランプ）の特性に基づいた一定電力と、を生成するための回路で構成されている。そして、バラスト５７１は、電源装置１０からの電力が供給され、光源装置５８１を点灯させるためのパルス電圧を出力し、光源装置５８１の電極を放電させて点灯させる。
【００７５】
電源装置１０は、上述したように、電源保護装置１および電源部２で構成されている。そして、電源装置１０により生成された各種の直流電力（例えばＶout１等）は、プロジェクター５の各部に供給される。なお、電源装置１０は、図示省略するが、整流・平滑回路２１で昇圧された直流電力を、バラスト５７１用の電力として分岐して光源制御部５７に供給している。
【００７６】
本実施形態の電源保護装置１を用いたプロジェクター５によれば、以下の効果が得られる。
【００７７】
本実施形態のプロジェクター５は、ＡＣ電力投入時には突入電流を抑制し、定常状態では発熱を低減する電源装置１０を備えることにより、ＡＣ電力投入による電源装置１０の誤動作や故障を防止でき、定常状態では電源装置１０の効率的な直流電力への変換が行える。従って、安定した電力供給がなされ、プロジェクター５の仕様により規定される品質を長期間維持することができる。
〔第２実施形態〕
【００７８】
図６は、本実施形態に係る電源保護装置１Ａを示す図であり、図６（ａ）は、ＡＣ電力が投入された瞬間（ＡＣ電力投入時）の電源保護装置１Ａを示す図であり、図６（ｂ）は、定常状態での電源保護装置１Ａを示す図である。図６では、電源部２の図示を省略している。
【００７９】
本実施形態の電源保護装置１Ａは、第１実施形態の電源保護装置１と比較して、コイル状部材１００の伸縮量（伸び量）を規制する第２規制部１２０を追加したことが異なる。なお、その他の構成は、第１実施形態の電源保護装置１と同様である。図６では、同様の構成部には同様の符号を付記している。
【００８０】
〔電源保護装置１Ａの構成と動作〕
図６に示すように、第２規制部１２０は、電源保護装置１Ａの案内部１１３の途中に設置されている。詳細には、第２規制部１２０の設置位置は、鉄板１１５が鉄芯１１４ａに当接する位置よりも規制部１１７側で、規制部１１７との間に設置される。
【００８１】
図６（ａ）に示すように、電源装置１０にＡＣ電力を投入する際には、第１実施形態と同様に、電源保護装置１Ａの第２基板１１２は規制部１１７に規制される位置まで移動することで、コイル状部材１００をコイルの状態（自然長の状態）として、突入電流を抑制する。そして、定常状態では、第１実施形態と同様に、電磁駆動部１１０に電磁力が発生するため、鉄芯１１４ａが電磁石となり、第２基板１１２に設置される鉄板１１５を引き付ける。従って、第２基板１１２は、図６（ｂ）に示すように、案内部１１３を矢印の方向に摺動して移動する。
【００８２】
なお、本実施形態では、第２基板１１２が、案内部１１３を矢印の方向に摺動して移動した場合、第２規制部１２０の位置で移動を規制されることにより、第２規制部１２０の位置に保持される。この動作により、第２基板１１２に保持されるコイル状部材１００は、図６（ｂ）に示すように、コイルの状態から変形して伸びた状態となる。
なお、電源保護装置１Ａは、ＡＣ電力の投入と切断とにより、上記の動作を繰り返す。
【００８３】
コイル状部材１００の伸び量は、第２規制部１２０の位置により規制される。本実施形態の伸び量は、第１実施形態での伸び量に比較して少なく設定されている。従って、本実施形態のコイル状部材１００のインダクタンスは、第１実施形態でのインダクタンスに比較して増加する。
【００８４】
本実施形態の電源保護装置１Ａ、および電源保護装置１Ａを用いた電源装置１０によれば、第１実施形態での効果を同様に奏する他、以下の効果が得られる。
【００８５】
本実施形態の電源保護装置１Ａにおいて、定常状態では、電磁駆動部１１０による電磁力が発生することにより、第２基板１１２が第２規制部１２０に規制されて保持される位置まで移動することで、コイル状部材１００は変形して伸びる。なお、本実施形態でのコイル状部材１００の伸び量は、第１実施形態での伸び量に比べて少なくなり、この伸び量の差がコイル状部材１００のインダクタンスの増加となる。しかし、伸び量を規制する第２規制部１２０を備えることにより、コイル状部材１００の伸び量（変形量）を、コイル状部材１００の弾性変形の許容範囲内とするための安全率を向上させることができる。
【００８６】
なお、上述した実施形態に限定されず、その要旨を逸脱しない範囲において種々の変更や改良等を加えて実施することが可能である。変形例を以下に述べる。
【００８７】
前記第１実施形態の電源装置１０は、電源保護装置１に供給する電源を、制御用ＩＣ３０を駆動する電源（サブ電源）で生成している。しかし、これに限られず、サブ電源とは別に、トランスＬ１の一次側、または二次側で生成して供給するようにしてもよい。このような構成にしても、複雑な回路構成は不要であり、電源保護装置１を備える電源装置１０の回路構成を容易とすることができる。また、二次側で生成して供給する場合には、二次側に設置される制御用ＩＣを介することで、コイル状部材１００の伸縮を任意のタイミングで制御することができる。
【００８８】
前記第１実施形態では、電源装置１０をプロジェクター５に用いているが、これに限られず、他の電子機器に用いることでもよい。これにより、電子機器は、ＡＣ電力投入時には突入電流を抑制し、定常状態では発熱を低減する電源装置１０を備えることにより、安定した電力供給がなされるため、電子機器の仕様により規定される品質を長期間維持することができる。
【００８９】
前記第１実施形態の電源保護装置１は、第１基板１１１、案内部１１３、規制部１１７等、別々の部材を一体にした構造となっている。しかし、これらの部材は、機能として分けているのであり、最初から一体の構造として構成し、この一体の構造が、第１基板１１１、案内部１１３、規制部１１７等として動作することでよい。例えば、矩形の箱状の構造として一体に形成することで、第１面部を第１基板１１１とし、相対する第２面部を規制部１１７とし、第１面部と第２面部とに接続する側面となる面部を案内部１１３とし、第２基板１１２は、箱状の内部を側面となる面部に沿って移動する構成としてもよい。
【００９０】
前記第１実施形態のプロジェクター５において、光源装置５８１は、放電型の光源ランプ５８１ａを用いている。しかし、これに限られず、固体光源を用いた光源装置を用いてもよい。固体光源としては、レーザー光源、ＬＥＤ（Light emitting diode）素子、有機ＥＬ（Electro Luminescence）素子、シリコン発光素子等の各種固体発光素子等が挙げられる。
【００９１】
前記第１実施形態のプロジェクター５は、光変調装置として透過型の液晶パネル５８２Ｒ，５８２Ｇ，５８２Ｂを用いている。しかし、これに限られず、反射型の液晶パネルを用いてもよい。
【００９２】
前記第１実施形態のプロジェクター５は、光変調装置として透過型の光変調装置を用いている。しかし、これに限られず、マイクロミラー型の光変調装置等、他の方式の光変調装置を用いることができる。なお、マイクロミラー型の光変調装置としては、例えば、ＤＭＤ（Digital Micromirror Device）（テキサス・インスツルメンツ社の商標）を用いることができる。
【符号の説明】
【００９３】
１，１Ａ…電源保護装置、２…電源部、５…プロジェクター、１０…電源装置、２１…整流・平滑回路、２２…ＤＣ/ＤＣ変換回路、３０…制御用ＩＣ、１００…コイル状部材、１０２ｂ…端子部、１１０…電磁駆動部、１１１…第１基板、１１２…第２基板、１１４…電磁力発生部、１１５…鉄板（磁性部材）、１１６…圧縮コイルバネ（付勢部材）、１１７…規制部、１２０…第２規制部、５８１…光源装置、５８２Ｒ，５８２Ｇ，５８２Ｂ…液晶パネル、５８３…投写レンズ、Ｌ１…トランス、Ｌ１１…一次側コイル、Ｌ１１ａ…サブ電源用の一次側コイル、Ｌ１２…二次側コイル。
【図１】
2015142404.tif 000003
【図２】
2015142404.tif 000004
【図３】
2015142404.tif 000005
【図４】
2015142404.tif 000006
【図５】
2015142404.tif 000007
【図６】
2015142404.tif 000008